(57)【要約】【課題】音質及び音量を調整して音質を向上させ、雑音による干渉を減らす無線マイク構造を提供する。【解決手段】無線マイク構造は、無線マイク１、モバイル電源２及び無線レシーバー３を備える。無線レシーバー３は、携帯電話伝送ポート６１及び音源伝送ポートの何れか１つの対応した伝送ポート６を介して携帯電話、デジタルカメラ、ビデオカメラ又はノート型パソコンと電気的に接続された後、無線マイク１により携帯電話、デジタルカメラ、ビデオカメラ又はノート型パソコンの音源信号を受信する。モバイル電源２は、頂面に充電用ソケット２１が凹設され、磁気吸引方式により対応した無線マイク１を収納して固定するとともに、充電用ソケット２１中で無線マイク１の位置に対応した接点１１と接触されて充電し、底面には固定槽が形成され、背面には固定ねじ孔が形成され、背面から下向きに延びた裏板２４が延設される。【選択図】図２
0003233196.tif 000002
【実用新案登録請求の範囲】
【請求項１】
無線マイク、モバイル電源及び無線レシーバーを備えた無線マイク構造であって、
前記無線マイク、前記モバイル電源及び前記無線レシーバーは、上から下方向へかけて直列接続され、
前記無線レシーバーは、携帯電話伝送ポート及び音源伝送ポートの何れか１つの対応した伝送ポートを介して携帯電話、デジタルカメラ、ビデオカメラ又はノート型パソコンと電気的に接続された後、前記無線マイクにより前記携帯電話、前記デジタルカメラ、前記ビデオカメラ又は前記ノート型パソコンの音源信号を受信し、
前記モバイル電源は、頂面に充電用ソケットが凹設され、磁気吸引方式により対応した前記無線マイクを収納して固定するとともに、前記充電用ソケット中で前記無線マイクの位置に対応した接点と接触されて充電し、底面には固定槽が形成され、背面には固定ねじ孔が形成され、背面から下向きに延びた裏板が延設され、
前記無線レシーバーは、外形が前記裏板に対応して下向きに延びた形状であり、頂端に延設された前記携帯電話伝送ポートが前記モバイル電源の前記固定槽中に対応して挿入されて位置決めされるとともに、接点により対応して接触され、前記モバイル電源により充電され、前記無線レシーバーは、音量調整つまみ、音質調整つまみ、ヘッドフォンジャック及び音源伝送ポートを有し、
充電済みの前記モバイル電源が随時、前記無線マイク及び前記無線レシーバーを充電し、直列接続された収納状態となっているため、各部材が分離されることを防ぐことを特徴とする、無線マイク構造。
【請求項２】
前記モバイル電源の背面に形成された前記固定ねじ孔に、ホットシューアダプタのねじ軸を螺着してから、前記ホットシューアダプタを前記デジタルカメラのホットシューに取付け、
前記無線レシーバーは、前記モバイル電源と結合され、前記無線レシーバーと前記デジタルカメラの音源伝送ポートとを音源ケーブルにより接続した後、前記デジタルカメラの画像は前記無線マイクが記録した前記音源信号を受信し得ることを特徴とする請求項１に記載の無線マイク構造。
【考案の詳細な説明】
【技術分野】
【０００１】
本考案は、無線マイク構造に関するものである。
【背景技術】
【０００２】
ライブ動画の流行に伴い、録画機能の操作を重視する使用者が徐々に増えてきた。録画は、撮影以外に、音声の音源信号を記録（録音）することも重要であり、これにより映像はきれいな画面を有するとともに、言葉又は背景の音をはっきりと記録することもできる。
【０００３】
携帯電話、デジタルカメラ、ビデオカメラ又はノート型パソコンの録画機能は焦点距離を変えることにより、随時、良好な撮影画質を得ることもできたが、音源信号を取得する性能は十分ではなかった。携帯電話、デジタルカメラのマイクは、一般に内蔵されていたため、撮影者と画面の人物（例えば、実況者）との距離が離れている場合、多くの雑音だけが録音されてしまうか、録音された音が小さすぎるなどの問題点があった。そのため、市販されている多くの無線マイクは、携帯電話、デジタルカメラに録音機能を提供し、実況者が無線マイクを手で持ったときに、音源信号を遠くの携帯電話、デジタルカメラ、撮影装置又はノート型パソコンへ送信し、録画を適宜行うことができる。
【０００４】
しかし、このような無線マイクは、音質、雑音を調整せず、無線マイクの部品（例えば、ケーブル又は無線レシーバーなどの部品）と一体結合されておらず、収納機能も備えていなかったため、使用するときにバッグの中を探し回らなければならず、非常に不便であった。
【考案の概要】
【考案が解決しようとする課題】
【０００５】
本考案の第１の目的は、携帯電話、デジタルカメラ、ビデオカメラ又はノート型パソコンで録画する際、無線マイクで記録した音源信号を無線レシーバーで受信し、音質及び音量を調整して音質を向上させ、雑音による干渉を減らす無線マイク構造を提供することにある。
本考案の第２の目的は、使用後に組合せて一緒に収納することができるため、バッグで携行する際、各部品が分離して一緒に取出すことが困難な問題を改善することができる無線マイク構造を提供することにある。
本考案の第３の目的は、無線レシーバーは長い時間供給される電気により、無線マイクが記録する音源信号を受信することができる無線マイク構造を提供することにある。
【課題を解決するための手段】
【０００６】
上記課題を解決するために、本考案の第１の形態によれば、無線マイク、モバイル電源及び無線レシーバーを備えた無線マイク構造であって、前記無線マイク、前記モバイル電源及び前記無線レシーバーは、上から下方向へかけて直列接続され、前記無線レシーバーは、携帯電話伝送ポート及び音源伝送ポートの何れか１つの対応した伝送ポートを介して携帯電話、デジタルカメラ、ビデオカメラ又はノート型パソコンと電気的に接続された後、前記無線マイクにより前記携帯電話、前記デジタルカメラ、前記ビデオカメラ又は前記ノート型パソコンの音源信号を受信し、前記モバイル電源は、頂面に充電用ソケットが凹設され、磁気吸引方式により対応した前記無線マイクを収納して固定するとともに、前記充電用ソケット中で前記無線マイクの位置に対応した接点と接触されて充電し、底面には固定槽が形成され、背面には固定ねじ孔が形成され、背面から下向きに延びた裏板が延設され、前記無線レシーバーは、外形が前記裏板に対応して下向きに延びた形状であり、頂端に延設された前記携帯電話伝送ポートが前記モバイル電源の前記固定槽中に対応して挿入されて位置決めされるとともに、接点により対応して接触され、前記モバイル電源により充電され、前記無線レシーバーは、音量調整つまみ、音質調整つまみ、ヘッドフォンジャック及び音源伝送ポートを有し、充電済みの前記モバイル電源が随時、前記無線マイク及び前記無線レシーバーを充電し、直列接続された収納状態となっているため、各部材が分離されることを防ぐことを特徴とする、無線マイク構造を提供する。
【０００７】
前記モバイル電源の背面に形成された前記固定ねじ孔に、ホットシューアダプタのねじ軸を螺着してから、前記ホットシューアダプタを前記デジタルカメラのホットシューに取付け、前記無線レシーバーは、前記モバイル電源と結合され、前記無線レシーバーと前記デジタルカメラの音源伝送ポートとを音源ケーブルにより接続した後、前記デジタルカメラの画像は前記無線マイクが記録した前記音源信号を受信し得ることが好ましい。
【考案の効果】
【０００８】
本考案の無線マイク構造は、以下（１）〜（３）の効果を有する。
（１）携帯電話、デジタルカメラ、ビデオカメラ又はノート型パソコンで録画する際、無線マイクで記録した音源信号を無線レシーバーで受信し、音質及び音量を調整して音質を向上させ、雑音による干渉を減らすことができる。
（２）使用後に組合せて一緒に収納することができるため、バッグで携行する際、各部品が分離して一緒に取出すことが困難な問題を改善することができる。
（３）無線レシーバーは長い時間供給される電気により、無線マイクが記録する音源信号を受信することができる。
【図面の簡単な説明】
【０００９】
【図１】本考案の一実施形態に係る無線マイク構造を示す組立斜視図である。
【図２】本考案の一実施形態に係る無線マイク構造を示す分解斜視図（１）である。
【図３】本考案の一実施形態に係る無線マイク構造を示す分解斜視図（２）である。
【図４】本考案の一実施形態に係る無線マイク構造のモバイル電源を示す斜視図である。
【図５】本考案の一実施形態に係る無線マイク構造に携帯電話を取り付けた状態を示す斜視図である。
【図６】本考案の一実施形態に係る無線マイク構造にデジタルカメラを取り付ける状態を示す分解斜視図である。
【考案を実施するための形態】
【００１０】
図１を参照する。図１に示すように、本考案の一実施形態に係る無線マイク構造は、少なくとも無線マイク１、モバイル電源２及び無線レシーバー３から構成されてなる。無線レシーバー３は、携帯電話伝送ポート６１及び音源伝送ポート６２の何れか１つの対応した伝送ポート６を介し、携帯電話４及びデジタルカメラ５と電気的に接続された後、無線マイク１により携帯電話４、デジタルカメラ５（又はビデオカメラ、ノート型パソコン）に良好な音源信号を受信することができる。
【００１１】
モバイル電源２は、頂面に充電用ソケット２１が凹設され、磁気吸引方式により、対応した無線マイク１を収納して固定するとともに（図２を参照する）、充電用ソケット２１中で無線マイク１の位置に対応した接点２１１，１１と接触されて充電され、底面には固定槽２２が形成され、背面には固定ねじ孔２３が形成され（図３及び図４を参照する）、背面から下向きに延びた裏板２４が延設されている。
【００１２】
無線レシーバー３は、外形が裏板２４に対応して下向きに延びた形状であり、頂端に延設された携帯電話伝送ポート６１がモバイル電源２の固定槽２２中に対応して挿入されて位置決めされるとともに、接点３２，２５により対応して接触され、モバイル電源２により充電される。無線レシーバー３は、音量調整つまみ３３、音質調整つまみ３４、ヘッドフォンジャック３１及び音源伝送ポート６２を有する。
【００１３】
上述した構造により、無線レシーバー３の頂端に延設された携帯電話伝送ポート６１は、モバイル電源２の底面に形成された固定槽２２中に対応して挿着されるともに、接点３２，２５に対応して接触されて充電される。モバイル電源２の充電用ソケット２１の接点２１１は、無線マイク１の接点１１と接触されて充電されるため（従来の磁気吸引固定は、精確に位置決めさせて固定する機能を有する）、充電済みのモバイル電源２が随時、無線マイク１及び無線レシーバー３を充電し、上から下方向へかけて直列接続された収納状態となっているため、バッグで携行する際、各部材が分離して一緒に取出すことが困難となる問題はなく（無線レシーバー３の外形は、裏板２４の延伸形状に対応するため、裏板２４が直列接続状態の無線レシーバー３が力を受けても湾曲したり分離したりすることはない）。
【００１４】
本実施形態の無線マイク構造が携帯電話の録画機能を使用する場合、無線マイク１及び無線レシーバー３をそれぞれ取り外し、無線レシーバー３の携帯電話伝送ポート６１と携帯電話４とを電気的に接続し（図５を参照する）、無線レシーバー３及び無線マイク１が電源をオンし、組み合わせた後、無線マイク１が記録した無線レシーバー３により受信するため、音質が向上して雑音による干渉を減らすことができる（ヘッドフォンジャック３１には、外付けヘッドフォンが取り付けられ、記録した音源信号の品質を確認し、音量調整つまみ３３及び音質調整つまみ３４の音量及び音質を調整し、無線マイク１は、音量の大きさが調整可能な音量調整つまみ１２を有する）。
【００１５】
モバイル電源２の背面に形成された固定ねじ孔２３に、ホットシューアダプタ７のねじ軸７１を螺着してから（図６を参照する）、ホットシューアダプタ７をデジタルカメラ５（又はビデオカメラ）のホットシュー５１に取付ける。無線レシーバー３は、モバイル電源２と結合され、無線レシーバー３とデジタルカメラ５の音源伝送ポート６２とを音源ケーブル８により接続した後、デジタルカメラ５が録画した後、無線レシーバー３は、長い時間供給される電気により、無線マイク１が記録する音源信号を受信することができる。
【００１６】
また、無線レシーバー３の携帯電話伝送ポート６１は、係合構造により係着されて電気的に接続されて構成されるため、携帯電話４の様々な伝送ポート６の規格に応じて携帯電話伝送ポート６１を変えることができる。
【符号の説明】
【００１７】
１  無線マイク
２  モバイル電源
３  無線レシーバー
４  携帯電話
５  デジタルカメラ
６  伝送ポート
７  ホットシューアダプタ
８  音源ケーブル
１１  接点
１２  音量調整つまみ
２１  充電用ソケット
２２  固定槽
２３  固定ねじ孔
２４  裏板
２５  接点
３１  ヘッドフォンジャック
３２  接点
３３  音量調整つまみ
３４  音質調整つまみ
５１  ホットシュー
６１  携帯電話伝送ポート
６２  音源伝送ポート
７１  ねじ軸
２１１  接点
【図１】
0003233196.tif 000003
【図２】
0003233196.tif 000004
【図３】
0003233196.tif 000005
【図４】
0003233196.tif 000006
【図５】
0003233196.tif 000007
【図６】
0003233196.tif 000008